(57)【要約】  【課題】グリップ13の汚れを自動的に短時間で清掃でき、グリップ13の汚れを確実に取り除ける印刷物搬送機11の清掃装置21を提供する。  【解決手段】回転するブラシ25を移動方向Ｆに移動するグリップ13に接触させ、グリップ13の汚れをブラシ25で掻き取って自動的に短時間で清掃する。ブラシ25を、グリップ13の移動方向Ｆに対して交差する方向に回転させ、かつグリップ13の移動方向Ｆに対して交差する方向に移動させ、グリップ13の汚れを掻き取る効果を高くする。このブラシ25を移動方向Ｆに移動するグリップ13に接触させ、グリップ13の汚れを掻き取って自動的に短時間で清掃し、グリップ13の汚れを確実に取り除く。  【選択図】図１
2005200175.tif 000002
【特許請求の範囲】
【請求項１】
移動するグリップにより印刷物を把持して搬送する印刷物搬送機の清掃装置であって、
前記グリップの移動方向に対して交差する方向に回転し、グリップに接触して清掃する清掃体と、
この清掃体を回転駆動する回転駆動手段と
を具備していることを特徴とする印刷物搬送機の清掃装置。
【請求項２】
清掃体は、グリップの移動方向に対して平行な回転軸およびこの回転軸の周面から突出するブラシ毛を有するブラシである
ことを特徴とする請求項１記載の印刷物搬送機の清掃装置。
【請求項３】
清掃体をグリップの移動方向に対して交差する方向に移動させる清掃体移動手段を具備している
ことを特徴とする請求項１または２記載の印刷物搬送機の清掃装置。
【発明の詳細な説明】
【技術分野】
【０００１】
本発明は、移動するグリップにより印刷物を把持して搬送する印刷物搬送機の清掃装置に関する。
【背景技術】
【０００２】
印刷物として例えば新聞の印刷施設においては、輪転機から連続的に排出されてくる新聞の先端中央をグリップで把持して所定の場所まで搬送するいわゆるセンターグリップ方式の印刷物搬送機が知られている（例えば、特許文献１参照。）。
【０００３】
この印刷物搬送機では、チェーンのように無端状に連結されたリンクに沿って例えば１０００個程度のグリップを取り付けており、リンクの回行によって複数のグリップが移動し、輪転機から連続的に排出されてくる新聞の先端中央をグリップで把持して所定の場所まで搬送する。
【０００４】
このような印刷物搬送機では、新聞がこの新聞を把持するグリップの把持面に限らずグリップの表面などにも接触し、新聞に印刷されたインクがグリップに付着して汚れてしまうので、このグリップの汚れが新聞に移るのを防止するために、グリップの汚れを布などで拭き取って清掃する清掃作業を必要としている。
【特許文献１】特開平５−９７３０２号公報（第２−５頁、図１−５）
【発明の開示】
【発明が解決しようとする課題】
【０００５】
しかしながら、グリップの数は例えば１０００個程度あり、これらグリップの汚れを１つずつ布などで拭き取って清掃する清掃作業は労力を要し、時間もかかる問題がある。
【０００６】
本発明は、このような点に鑑みなされたもので、グリップの汚れを自動的に短時間で清掃でき、しかも、グリップの汚れを確実に取り除くことができる印刷物搬送機の清掃装置を提供することを目的とする。
【課題を解決するための手段】
【０００７】
請求項１記載の印刷物搬送機の清掃装置は、移動するグリップにより印刷物を把持して搬送する印刷物搬送機の清掃装置であって、前記グリップの移動方向に対して交差する方向に回転し、グリップに接触して清掃する清掃体と、この清掃体を回転駆動する回転駆動手段とを具備しているものである。
【０００８】
そして、この構成では、回転する清掃体を移動するグリップに接触させて清掃するため、グリップの汚れを清掃体で掻き取って自動的に短時間で清掃し、しかも、清掃体がグリップの移動方向に対して交差する方向に回転するため、清掃体によるグリップの汚れを掻き取る効果が高く、グリップの汚れを確実に取り除ける。
【０００９】
請求項２記載の印刷物搬送機の清掃装置は、請求項１記載の印刷物搬送機の清掃装置において、清掃体は、グリップの移動方向に対して平行な回転軸およびこの回転軸の周面から突出するブラシ毛を有するブラシであるものである。
【００１０】
そして、この構成では、清掃体として、グリップの移動方向に対して平行な回転軸を中心として回転するブラシを用いるため、グリップの汚れを効果的に取り除ける。
【００１１】
請求項３記載の印刷物搬送機の清掃装置は、請求項１または２記載の印刷物搬送機の清掃装置において、清掃体をグリップの移動方向に対して交差する方向に移動させる清掃体移動手段を具備しているものである。
【００１２】
そして、この構成では、清掃体移動手段により清掃体をグリップの移動方向に対して交差する方向に移動させるため、グリップ全体を確実に清掃可能になる。
【発明の効果】
【００１３】
請求項１記載の印刷物搬送機の清掃装置によれば、回転する清掃体を移動するグリップに接触させて清掃するため、グリップの汚れを清掃体で掻き取って自動的に短時間で清掃でき、しかも、清掃体がグリップの移動方向に対して交差する方向に回転するため、清掃体によるグリップの汚れを掻き取る効果が高く、グリップの汚れを確実に取り除くことができる。
【００１４】
請求項２記載の印刷物搬送機の清掃装置によれば、請求項１記載の印刷物搬送機の清掃装置の効果に加えて、清掃体として、グリップの移動方向に対して平行な回転軸を中心として回転するブラシを用いるため、グリップの汚れを効果的に取り除くことができる。
【００１５】
請求項３記載の印刷物搬送機の清掃装置によれば、請求項１または２記載の印刷物搬送機の清掃装置の効果に加えて、清掃体移動手段により清掃体をグリップの移動方向に対して交差する方向に移動させるため、グリップ全体を確実に清掃できる。
【発明を実施するための最良の形態】
【００１６】
以下、本発明の一実施の形態を図面を参照して説明する。
【００１７】
図１ないし図３において、印刷物搬送機11は、例えば輪転機から連続的に排出されてくる新聞などの印刷物の先端中央を把持して搬送するセンターグリップ方式が採用されており、無端状の搬送体としてのチェーン12に沿って印刷物を把持する複数のグリップ13が取り付けられている。チェーン12は、移動方向Ｆに図示しない駆動機構によって回行され、また、各グリップ13は、印刷物を把持する開閉可能としたグリップ部14，15を有し、これらグリップ部14，15の先端側が移動方向Ｆに対して反対側へ傾斜するように設けられている。
【００１８】
また、印刷物搬送機11のグリップ13を清掃する清掃装置21は、グリップ13の移動方向Ｆに対し交差する方向に回転するとともにグリップ13に接触して清掃する清掃体22を有している。この清掃体22には、グリップ13の移動方向Ｆに対して平行な回転軸23およびこの回転軸23の周面から突出するブラシ毛24を有するブラシ25によって構成されている。
【００１９】
ブラシ25はグリップ13に対して相対的に接触する位置関係で回転可能に支持されており、このブラシ25を、モータなどの回転駆動手段26から回転軸23に伝達される駆動力によって回転駆動するとともに、清掃体移動手段27によってグリップ13の移動方向Ｆに対して交差する方向に往復移動する。ブラシ25の交差方向Ｘへの往復移動範囲は、グリップ13の横幅より広く、グリップ13の横幅全体を清掃可能としている。
【００２０】
そして、印刷物搬送機11は、チェーン12の回行によって移動方向Ｆに移動する各グリップ13で輪転機から連続的に排出されてくる各印刷物の先端中央を把持して移動方向Ｆに搬送する。搬送する印刷物はこの印刷物を把持するグリップ13の把持面に限らず隣のグリップ13の表面などにも接触する場合があり、グリップ13の印刷物との接触面に印刷物に印刷されたインクが付着して汚れていくため、清掃装置21による清掃作業を行う。
【００２１】
清掃装置21による清掃作業時には、チェーン12の回行によって各グリップ13を移動方向Ｆに移動させながら、回転軸23を中心としてブラシ25を回転させるとともにグリップ13の移動方向Ｆに対して交差方向Ｘに往復移動させる。これにより、移動方向Ｆに移動するグリップ13に、交差方向Ｘに移動するブラシ25が移動方向Ｆに対して交差する方向に回転しながら接触し、グリップ13に付着した汚れを掻き取って清掃する。すなわち、移動方向Ｆの掻き取り作用の成分と移動方向Ｆに対して交差する方向の掻き取り作用の成分が生じ、ブラシ25でグリップ13の汚れの掻き取る方向が単一方向にならず、ブラシ25によるグリップ13の汚れを掻き取る効果が高くなる。
【００２２】
このように、回転するブラシ25を移動するグリップ13に接触させて清掃するため、グリップ13の汚れをブラシ25で掻き取って自動的に短時間で清掃でき、しかも、ブラシ25がグリップ13の移動方向Ｆに対して交差する方向に回転するため、ブラシ25によるグリップ13の汚れを掻き取る効果が高く、グリップ13の汚れを確実に取り除くことができる。
【００２３】
また、清掃体移動手段27によりブラシ25をグリップ13の移動方向Ｆに対して交差する交差方向Ｘに移動させるため、グリップ13全体を確実に清掃できる。
【００２４】
また、グリップ13のグリップ部14，15を開かせることにより、印刷物を把持する把持面も清掃できる。
【００２５】
なお、清掃体としては、ブラシ25に限らず、不織布などを用いても汚れを拭き取ることもできる。
【００２６】
また、ブラシ25の回転軸23の軸方向は、グリップ13の搬送方向Ｆに対して平行にすることでブラシ25によるグリップ13の汚れを掻き取る効果が最も高くできるが、グリップ13の搬送方向Ｆに対して例えば４５°斜めとした場合でも、グリップ13の搬送方向Ｆに対して直交する場合に比べてグリップ13の汚れを掻き取る効果を高くできる。
【００２７】
また、グリップ13の移動方向Ｆに沿って複数のブラシ25を配置することで清掃時間を短縮できる。
【図面の簡単な説明】
【００２８】
【図１】本発明の一実施の形態を示す印刷物搬送機の清掃装置の平面図である。
【図２】同上清掃装置の側面図である。
【図３】同上清掃装置のグリップの移動方向の上流側から視る断面図である。
【符号の説明】
【００２９】
11    印刷物搬送機
13    グリップ
21    清掃装置
22    清掃体
23    回転軸
24    ブラシ毛
25    ブラシ
26    回転駆動手段
27    清掃体移動手段
【図１】
2005200175.tif 000003
【図２】
2005200175.tif 000004
【図３】
2005200175.tif 000005